(57)【要約】【課題】両者の連結を簡便に行なえるシャワーヘッドのヘッド部と握り部との連結構造を提供すること。【解決手段】シャワーヘッドのヘッド部２と握り部１８との連結部位相互が、略円筒状の連結筒部２４・２８として、筒部２４を筒部２８内に挿入して円周方向に相対回転させることにより連結される。筒部２４は外周面側に係止突起２５を備え、筒部２８は内周面側に係止突起２５を挿入させる挿入溝３１と挿入溝から円周方向に延びて係止突起２５を係止する係止溝３２とを備える。係止溝３２を備えた溝側連結筒部２８は、係止溝３２の先端側を連結時の係止突起の収納位置３３として、係止溝における収納位置３３と挿入溝３１との間で、かつ、係止突起を備えた筒部２４の溝側連結筒部２８からの抜け方向側の周壁３５に、挿入溝との間に隔壁３８を有して係止突起を収納可能な凹部３７を備える。【選択図】図３
2004121335.tif 000002
【特許請求の範囲】
【請求項１】
シャワーヘッドのヘッド部と握り部との連結部位相互が、略円筒状の連結筒部として、一方の連結筒部を他方の連結筒部内に挿入して円周方向に相対的に回転させることにより連結されるシャワーヘッドのヘッド部と握り部との連結構造であって、
連結筒部相互における連結時に対向する一方の外周面側若しくは内周面側に、係止突起が設けられ、他方の内周面側若しくは外周面側に、前記係止突起を挿入させる挿入溝と該挿入溝から円周方向に延びて前記係止突起を係止する係止溝とが設けられ、
前記係止溝における前記挿入溝から離れた先端側を、連結時の前記係止突起の収納位置とするとともに、
前記係止溝を備えた溝側連結筒部が、前記係止溝における前記収納位置と前記挿入溝との間で、かつ、前記係止突起を備えた突起側連結筒部の前記溝側連結筒部からの抜け方向側の周壁に、前記挿入溝との間に隔壁を有して前記係止突起を収納可能な凹部を備えていることを特徴とするシャワーヘッドのヘッド部と握り部との連結構造。
【請求項２】
前記挿入溝若しくは係止溝の少なくとも一部が、前記溝側連結筒部の内外周を貫通していることを特徴とする請求項１に記載のシャワーヘッドのヘッド部と握り部との連結構造。
【発明の詳細な説明】
【０００１】
【発明の属する技術分野】
本発明は、台所・厨房・洗面台等に配設されるシャワーヘッドのヘッド部と握り部との連結構造に関する。
【０００２】
【従来の技術】
従来、台所等で使用されるシャワーヘッドでは、水や湯等を流出させるヘッド部と把持する握り部とを備えて構成され、さらに、取替可能な浄化剤を握り部に内蔵するものがあった（例えば、特許文献１参照）。
【０００３】
このようなシャワーヘッドでは、浄化剤を取り替える際、ヘッド部と握り部との連結を解除して、浄化剤を取り替えていた。
【０００４】
【特許文献１】
特開２００１−１７３４２公報
【０００５】
【発明が解決しようとする課題】
しかし、上記のようなシャワーヘッドでは、ネジ結合によりヘッド部と握り部とを連結しており、両者の連結作業を簡便に行うことができなかった。
【０００６】
本発明は、上述の課題を解決するものであり、両者の連結を簡便に行なえるシャワーヘッドのヘッド部と握り部との連結構造を提供することを目的とする。
【０００７】
【課題を解決するための手段】
本発明に係る連結構造は、シャワーヘッドのヘッド部と握り部との連結部位相互が、略円筒状の連結筒部として、一方の連結筒部を他方の連結筒部内に挿入して円周方向に相対的に回転させることにより連結されるシャワーヘッドのヘッド部と握り部との連結構造であって、
連結筒部相互における連結時に対向する一方の外周面側若しくは内周面側に、係止突起が設けられ、他方の内周面側若しくは外周面側に、係止突起を挿入させる挿入溝と挿入溝から円周方向に延びて係止突起を係止する係止溝とが設けられ、
係止溝における前記挿入溝から離れた先端側を、連結時の係止突起の収納位置とするとともに、
係止溝を備えた溝側連結筒部が、係止溝における収納位置と挿入溝との間で、かつ、係止突起を備えた突起側連結筒部の溝側連結筒部からの抜け方向側の周壁に、挿入溝との間に隔壁を有して係止突起を収納可能な凹部を備えていることを特徴とする。
【０００８】
本発明に係る連結構造では、突起側連結筒部の係止突起を溝側連結筒部の挿入溝に挿入させ、さらに、係止突起を係止溝の収納位置まで、突起側・溝側連結筒部を円周方向に相対的に回転させれば、シャワーヘッドのヘッド部と握り部とを連結させることができる。
【０００９】
すなわち、本発明に係る連結構造では、ヘッド部と握り部との連結が、一方の連結筒部を他方の連結筒部内に挿入して円周方向に相対的に回転させて連結させる所謂バヨネット結合により、連結させることができることから、簡便に、連結させることができる。そのため、例えば、シャワーヘッド内に内蔵した取替可能な浄化剤を交換する交換作業等が、容易となる。
【００１０】
また、本発明に係る連結構造では、例えば、使用中に誤ってシャワーヘッドを回転させると、すなわち、係止突起を係止溝の収納位置から挿入溝側に移動させるように、突起側連結筒部を溝側連結筒部に対して相対的に回転させると、突起側連結筒部と溝側連結筒部とが相互に離れる方向にシャワーヘッド内の水圧を受けているから、係止突起は、凹部に収納される。従って、凹部の挿入溝側の隔壁により、突起側連結筒部と溝側連結筒部との相対的な回転は止まり、誤ってシャワーヘッドを回転させても両者の抜けを防止することができる。
【００１１】
そして、本発明に係る連結構造では、請求項２に記載するように、挿入溝若しくは係止溝の少なくとも一部を、溝側連結筒部の内外周に貫通させることが望ましい。このような構成では、溝側連結筒部の挿入溝や係止溝の切削等の加工が容易となる。
【００１２】
また、このような構成に関し、突起側連結筒部に設けられた係止突起が溝側連結部に設けられた係止溝における収納位置にある時は、突起側連結筒部に設けられたシール材のシール部位が、係止溝における突起側連結筒部の溝側連結筒部への挿入方向側の周縁に配置され、かつ、突起側連結筒部に設けられた係止突起が溝側連結筒部に設けられた凹部へ収納された時は、突起側連結筒部に設けられたシール材のシール部位が、溝側連結筒部の係止溝や挿入溝の貫通部位に配置されるように構成されていれば、つぎのような作用・効果を得ることができる。すなわち、係止突起が凹部へ収納された時には、シール部材の水密性が破られて、溝側連結筒部の内周側の水が、貫通部位を経て、さらに、挿入溝や係止溝を経て、溝側連結筒部の外周側に漏れ、さらには、シャワーヘッド外に漏れる。そのため、係止突起の凹部への収納を水漏れで確認できて、係止突起の凹部への収納状態をシャワーヘッドの外表面側から直接目視できなくとも、水漏れにより判断でき、係止突起の適正な収納位置へ収納するように、容易に、ヘッド部と握り部とを連結し直すことができる。
【００１３】
【発明の実施の形態】
以下、本発明の一実施形態を図面に基づいて説明すると、実施形態のシャワーヘッド１は、図１・２に示すように、原水ＮＷ若しくは浄水ＣＷを流出させるヘッド部２と、把持する握り部１８と、を備えて構成されている。
【００１４】
シャワーヘッド１のヘッド部２は、上カバー３と下カバー４とに覆われた水切換弁５を備えて構成されている。各カバー３・４は、握り部１８側のカバー１９とともに、後述する連結パイプ２０や弁室７内に高温の温水が流れても、使用者に熱を伝えないように、パイプ２０や弁室７との間に所定の隙間を設けて、配設されている。
【００１５】
水切換弁５は、上カバー３から突出している三つの操作ボタン１０・１１・１２を押圧操作することにより、原水ＮＷと浄水ＣＷとの流出形態を調整している。ちなみに、実施形態の場合、操作ボタン１０を押圧操作すれば、浄水ＣＷをストレート吐水させ、操作ボタン１１を押圧操作すれば、原水ＮＷをシャワー吐水させ、操作ボタン１２を押圧操作すれば、原水ＮＷをストレート吐水させることができる。なお、浄水ＣＷは、原水ＮＷが後述するカートリッジ２１内の浄化剤２２を通過して形成されている。また、この浄水Ｗは、浄化剤２２を通過することにより圧力損失が生じて、円滑にシャワー吐水できないことから、実施形態の水切換弁５では、浄水ＣＷのシャワー吐水は行なえないように構成されている。
【００１６】
さらに、水切換弁５は、各ボタン１０・１１・１２の操作により作動される各種弁機構（図符号省略）を内蔵させた弁室７と、連結パイプ２０やカートリッジ２１のニップル部２１ａと弁室７とを連結するコネクタ６、を備えて構成されている。弁室７は、上部側の外壁を構成するアッパケース８と、下部側の外壁を構成するロアケース９と、から構成されている。コネクタ６は、原水ＮＷとカートリッジ２１のニップル部２１ａからの浄水ＣＷとを弁室７内に流入させるように構成されており、アッパケース８から握り部１８側へ延びる略円筒状のニップル部８ａと結合されている。ロアケース９の上端側は、略円筒状に形成され、アッパケース８のロアケース９側に延びる略円筒状の下端部が水密性を確保して外嵌され、ロアケース９の下端側は、散水板１３の外周側筒部１３ｃが水密性を確保して外装されている。ロアケース９と外周側筒部１３ｃとは、対応する雌ネジと雄ネジとが形成されて、相互にネジ結合されている。
【００１７】
散水板１３は、中央に円形の開口１３ｂを備えた略円板状として、外周側の上方に延びる円筒状の外周側筒部１３ｃと、開口１３ｂの周縁から下方へ延びる円筒状の内周側筒部１３ｄと、を備えて構成されている。外周側筒部１３ｃと内周側筒部１３ｄとの間には、多数の小径の散水孔１３ａが上下面を貫通して形成されている。また、内周側筒部１３ｄ内には、泡沫器１４が配設されている。そして、この散水板１３は、ロアケース９から外周側筒部１３ｃの内周側と内周側筒部１３ｄの外周側との間の散水孔１３ａの配置領域に流出された水を、散水孔１３ａを経てシャワー吐水させることとなる。そしてまた、この散水板１３は、ロアケース９から内周側筒部１３ｄの内周側の開口１３ｂの配置領域に流出させた水を、泡沫器１４を経てストレート吐水させることとなる。
【００１８】
なお、図２に示す符号１５の部材は、カートリッジ２１の交換時期を表示する表示板である。この表示板１５は、略半割円筒状として、アッパケース８の下端部や散水板１３の外周側筒部１３ｃの外周面と下カバー８の内周面との間で、回動させ、かつ、停止可能に、配設されている。そして、表示板１５は、外周面に一年に応じた１２ヶ月の月数が表示されて、所定の月数を、図１に示すように、上カバー３の表示窓３ａから表示できるように、構成されている。
【００１９】
シャワーヘッド１の握り部１８は、原水ＮＷを浄化するための浄化剤２２を備えて取替可能なカートリッジ２１を内蔵させている。カートリッジ２１の上端には、浄化された浄水ＣＷを流出させるニップル部２１ａが配設されるとともに、カートリッジ２１の周囲には、円筒状の連結パイプ２０が配設されている。連結パイプ２０の元部側は、図示しないホースと連結され、さらに、このホースは、水と湯とを切り換えて流入させる図示しない給水具に連結されている。連結パイプ２０の周囲には、シャワーヘッド１の外周側に露出される円筒状のカバー１９が、配設されている。なお、原水ＮＷは、連結パイプ２０の内周面とカートリッジ２１の外周面との間を経て、アッパケース８のニップル部８ａにおける図示しない原水ＮＷの流入口側に流れるように構成されている。
【００２０】
そして、実施形態のヘッド部２と握り部１８との連結構造では、ヘッド部２におけるアッパケース８のニップル部８ａ下端側の先端部８ｂに、略円筒状の突起側連結筒部２４が形成され、握り部１８における連結パイプ２０上端側の先端部２０ａに、略円筒状の溝側連結筒部２８が形成されて、溝側連結筒部２８内に突起側連結筒部２４を挿入させ、両筒部２４・２８を円周方向に相対的に回転させることにより連結させている。
【００２１】
突起側連結筒部２４には、図３・４に示すように、外周面の略点対称の位置に、二つの係止突起２５・２５が配設され、溝側連結筒部２８には、内周面の略点対称の位置に、二つの連結溝２９・３０が配設されている。各連結溝２９・３０は、それぞれ、連結筒部２８の端面から連なって各係止突起２５・２５を挿入させる挿入溝３１と、挿入溝３１の先端から筒部２８の円周方向に延びて各係止突起２５・２５を係止する係止溝３２と、を備えて構成されている。
【００２２】
各係止溝３２・３２における挿入溝３１から離れた先端側は、筒部２４・２８相互の連結時における係止突起２５・２５の収納位置３３としている。さらに、各係止溝３２・３２における収納位置３３と挿入溝３１との間には、突起側連結筒部２４の溝側連結筒部２８からの抜け方向側の周壁３５に、それぞれ、係止突起２５を収納可能な凹部３６・３７が、形成されている。凹部３６は、筒部２８の円周方向で挿入溝３１と連通され、凹部３７は、筒部２８の円周方向における挿入溝３１側に、隔壁３８を設けて配設されている。この凹部３７の筒部２８の円周方向に沿う長さ寸法Ｌ０は、連結溝３０に対応する係止突起２５における筒部２４の円周方向に沿う長さ寸法Ｌ１より、僅かに大きく設定されている。さらに、各連結溝２９・３０には、筒部２８の内外周を貫通するように、貫通孔３９が形成されている。実施形態の場合、各連結溝２９・３０の貫通孔３９は、それぞれ、凹部３６・３７を含めた係止溝３２の略全域に、形成されている。
【００２３】
また、実施形態の場合、突起側連結筒部２４の外周面には、図２・３・５・６に示すように、各係止突起２５・２５より先端側に、筒部２４の円周方向に沿う凹溝２４ａが形成され、シールリング２６が凹溝２４ａに配設されている。筒部２４・２８の連結時におけるシールリング２６のシール部位２７は、図５・６に示すように、各連結溝２９・３０の係止溝３２における突起側連結筒部２４の溝側連結筒部２８への挿入方向側の周縁、に配置されるように設定されている。そして、連結筒部２４が連結筒部２８から抜け方向に相対的に移動して各係止突起２５が凹部３６・３７に収納された時におけるシールリング２７のシール部位２７は、係止溝３２に配置されるように設定されている。
【００２４】
なお、図３に示す符号８ｃの部位は、アッパケース８のニップル部８ａにコネクタ６を連結させるための係止環であり、係止環８ｃには、コネクタ６の図示しない係止爪が係止されることとなる。
【００２５】
また、この実施形態のシャワーヘッド１では、浄化剤２２を備えたカートリッジ２１の交換時等に、ヘッド部２と握り部１８との連結を解除しており、カートリッジ２１の取り替え時には、連結時と逆の操作で、ニップル部８ａにコネクタ６を組み付けた状態で、筒部２４・２８を相対的に回転させ、かつ、筒部２４を筒部２８から引き抜いて、ニップル部８ａを連結パイプ２０から取り外し、連結パイプ２０の上端側から使用済みのカートリッジ２１を取り出し、新たなカートリッジ２１を連結パイプ２０に挿入させ、さらに、ニップル部８ａを連結パイプ２０にバヨネット結合させれば、カートリッジ２１の交換を行なうことができる。なお、カートリッジ２１の交換時には、上・下カバー３・４は、表示板１５や散水板１３と共に、弁室７側に取り付けられた状態で、カバー１９から離脱することとなる。
【００２６】
そして、実施形態の連結構造では、ヘッド部２側の突起側連結筒部２４の各係止突起２５を、握り部１８側の溝側連結筒部２８における各連結溝２９・３０の挿入溝３１に挿入させ、さらに、図５・６に示すように、各係止突起２５を各係止溝３２の収納位置３３まで、突起側・溝側連結筒部２４・２８を円周方向（図３に示す状態では連結筒部２４を連結筒部２８に対して時計方向に回転させる方向）に相対的に回転させれば、シャワーヘッド１のヘッド部２と握り部１８とを連結させることができる。すなわち、ヘッド部２と握り部１８とを、所謂バヨネット結合により、連結させることができることから、両筒部２４・２８を簡便に連結させることができる。そのため、シャワーヘッド１内に内蔵した取替可能な浄化剤を交換する交換作業等が、容易となる。
【００２７】
また、実施形態の連結構造では、通常は突起側連結筒部２４に固定されたシールリング２６の摩擦抵抗により突起側連結筒部２４と溝側連結筒部２８との相対的回転は防止されているが、流出させる水ＮＷ・ＣＷの方向を変える等のためにヘッド部２を誤操作したり、誤ってヘッド部２に触れたりして、突起側連結筒部２４が、溝側連結筒部２８から抜けるように、溝側連結筒部２８に対して相対的に回転しても、突起側連結筒部２４と溝側連結筒部２８とが相互に離れる方向にシャワーヘッド１内の水ＮＷ・ＣＷの水圧を受けていることから、各係止突起２５が凹部３６・３７に収納される。そして、図７に示すように、凹部３７側では挿入溝３１側に隔壁３８が配設されており、凹部３７に収納された係止突起２５が、挿入溝３１側に移動できず、そのため、凹部３６側に収納された係止突起２５も挿入溝３１側に移動できず、その結果、突起側連結筒部２４と溝側連結筒部２８との相対回転が停止する。そして、各係止突起２５が凹部３６・３７に収納されたならば、突起側連結筒部２４と溝側連結筒部２８とが相互に離れる方向にシャワーヘッド１内の水ＮＷ・ＣＷの水圧を受けていることから、係止突起２５の凹部３７からの離脱は、防止される。
【００２８】
したがって、実施形態のシャワーヘッド１のヘッド部２と握り部１８との連結構造では、誤ってシャワーヘッド１を回転させても両者の抜けを防止することができる。
【００２９】
そして、実施形態の連結構造では、溝側連結筒部２８が、各連結溝２９・３０に内外周に貫通させる貫通孔３９を備えている。そのため、挿入溝３１や係止溝３２の加工が容易となる。
【００３０】
また、実施形態では、筒部２４・２８の連結時、図５・６に示すように、係止溝３２における凸部３６・３７の設けられた周壁３５の反対側の周壁３４周縁近傍に、突起側連結筒部２４に固定されたシール材としてのシールリング２６のシール部位２７が配置され、かつ、そのシール部位２７が、係止突起２５の凹部３６・３７への収納時に、溝側連結筒部２８に対して相対移動して係止溝３２の領域に配置されて、シールリング２６の水密性が破られるように構成されている。すなわち、各係止突起２５の凹部３６・３７への収納時に、図７に示すように、シールリング２６の水密性が破られて、溝側連結筒部２８の内周側の水ＮＷ・ＣＷが、貫通孔３９を経て、さらに、挿入溝３１や係止溝３２を経て、溝側連結筒部２８の外周側に漏れ、さらには、図８に示すように、カバー４・１９の間を経て、シャワーヘッド１外に漏れる。そのため、各係止突起２５の凹部３６・３７への収納を水漏れで確認できることから、各係止突起２５の凹部３６・３７への収納状態をシャワーヘッド１の外表面側から直接目視できなくとも、水漏れにより判断でき、係止突起２５の適正な収納位置３３へ収納するように、容易に、ヘッド部２と握り部１８とを連結し直すことができる。
【００３１】
なお、実施形態では、ヘッド部２側に突起側連結筒部２４を設け、握り部１８側に溝側連結筒部２８を設けた場合を示したが、図９に示すように、ヘッド部２側に溝側連結筒部２８を設け、握り部１８側に、溝側連結筒部２８内に挿入させる突起側連結筒部２４を設けてもよい。
【００３２】
また、実施形態では、突起側連結筒部２４の外周面に係止突起２５を設け、溝側連結筒部２８の内周面に挿入溝３１と凹部３７を有した係止溝３２とを設けた場合を示したが、図１０に示すように、内周面に係止突起２５を設けた突起側連結筒部２４Ａと、外周面に挿入溝３１と凹部３７を有した係止溝３２とを設けて、突起側連結筒部２４Ａに挿入させる溝側連結筒部２８Ａと、を、それぞれ、ヘッド部２側若しくは握り部１８側に、配設させて、所謂バヨネット結合させてもよい。
【００３３】
さらに、実施形態では、突起側連結筒部２４に二つの係止突起２５を設け、溝側連結筒部２８に、各係止突起２５を挿入させて係止する連結溝２９・３０を二つ設けた場合を示したが、突起側連結筒部２４には、一つあるいは三つ以上の係止突起２５を設け、溝側連結筒部２８に、対応する数の連結溝２０・３０を設けてもよい。そして、少なくとも一つの係止溝３２に、隔壁３８を備えた凹部３７を設ければよい。
【００３４】
さらにまた、実施形態では、溝側連結筒部２８の内外周を貫通する貫通孔３９を、係止溝３２の略全域に配置させた場合を示したが、図９・１０に示すように、係止溝３２の一部や挿入孔３１の一部に、貫通孔３９を設けてもよい。
【００３５】
なお、図９・１０に示す連結構造においても、係止溝３２における凹部３７の設けられた周壁３５の反対側の周壁３４周縁に、突起側連結筒部２４・２４Ａに固定されたシール材が配置され、かつ、そのシール部位が、係止突起２５の凹部３７への収納時に、溝側連結筒部２８・２８Ａに対して相対移動して係止溝３２や挿入溝３１の領域に配置されて、シール部材の水密性が破られるように構成されていれば、係止突起２５の凹部３７への収納時に、シール部材の水密性が破られて、溝側連結筒部２８・２８Ａの内周側の水が、貫通孔３９を経て、さらに、挿入溝３１や係止溝３２を経て、溝側連結筒部２８・２８Ａの外周側に漏れ、さらには、シャワーヘッド外に漏れることから、係止突起２５の凹部３７への収納を水漏れで確認することができる。
【図面の簡単な説明】
【図１】本発明の一実施形態のシャワーヘッドを示す部分斜視図である。
【図２】同実施形態の概略縦断面図である。
【図３】同実施形態の要部を示す概略分解部分斜視図である。
【図４】同実施形態の突起側・溝側連結筒部の相互の連結完了状態の概略横断面図であり、図５のＩＶ−ＩＶ部位に対応する。
【図５】同実施形態の突起側・溝側連結筒部の相互の連結完了状態の概略縦断面図であり、隔壁を備えた凹部側の係止溝と係止突起との係止状態を示す。
【図６】同実施形態の突起側・溝側連結筒部の相互の連結完了状態の概略側面図であり、隔壁を備えない凹部側の係止溝と係止突起との係止状態を示す。
【図７】同実施形態の突起側連結筒部の係止突起が溝側連結筒部における隔壁を備えた凹部内に収納された状態を示す概略縦断面図である。
【図８】同実施形態のシャワーヘッドの水漏れ状態を示す図である。
【図９】実施形態の変形例における要部を示す概略分解部分斜視図である。
【図１０】実施形態の他の変形例における要部を示す概略分解部分斜視図である。
【符号の説明】
１…シャワーヘッド、２…ヘッド部、１８…握り部、２４・２４Ａ…突起側連結筒部、２５…係止突起、２８・２８Ａ…溝側連結筒部、３１…挿入溝、３２…係止溝、３５…周壁、３６・３７…凹部、３８…隔壁、３９…貫通孔。
【図１】
2004121335.tif 000003
【図２】
2004121335.tif 000004
【図３】
2004121335.tif 000005
【図４】
2004121335.tif 000006
【図５】
2004121335.tif 000007
【図６】
2004121335.tif 000008
【図７】
2004121335.tif 000009
【図８】
2004121335.tif 000010
【図９】
2004121335.tif 000011
【図１０】
2004121335.tif 000012